(57)【要約】【課題】給水管に分岐栓を設ける配管工事及び透過水の貯水タンクを不要とする分離膜を用いた浄水器並びに分離膜の膜表面をより効果的に流水洗浄できる分離膜を用いた浄水器を提供する。【解決手段】逆浸透膜・ナノろ過膜・限外ろ過膜等の分離膜を用いた浄水器に、温度調節機能を有する湯水混合栓等の給水栓に直接接続できるレバー付き切り替え栓等の分岐栓を備える。また、バイメタル等の温度センサーによる給水遮断弁を設ける。また、原水の流入を感知する圧力センサー又はフローセンサー及び流量調節弁を迂回する電磁弁を設け、圧力センサー又はフローセンサーからの信号を受けて電磁弁へ通電及び停電の信号を数秒の短い周期で数回繰り返し送るよう組まれた電気回路又はそのようにプログラムされた電子回路に、それら圧力センサー又はフローセンサー及び電磁弁を接続する。【選択図】図１
2005058983.tif 000002
【特許請求の範囲】
【請求項１】
原水の流入を感知して、逆浸透膜・ナノろ過膜・限外ろ過膜等の分離膜（７）を流水洗浄する機能（１９、２０及び２２）を有する、逆浸透膜・ナノろ過膜・限外ろ過膜等の分離膜（７）により水道水等の原水を浄化する浄水器。
【請求項２】
温度調節機能を有する湯水混合栓等の給水栓（３）に直接接続できるレバー付き切り替え栓等の分岐栓（１７）を備えていることを特徴とする、逆浸透膜・ナノろ過膜・限外ろ過膜等の分離膜（７）により水道水等の原水を浄化する浄水器又は請求項１記載の浄水器。
【請求項３】
一定温度以上の原水の流入を感知して遮断する機能（１８）を有する、逆浸透膜・ナノろ過膜・限外ろ過膜等の分離膜（７）により水道水等の原水を浄化する浄水器又は請求項１若しくは請求項２記載の浄水器。
【発明の詳細な説明】
【発明の詳細な説明】
【技術分野】
【０００１】  本発明は浄水器に関するものである。
【背景技術】
【０００２】  従来、逆浸透膜・ナノろ過膜・限外ろ過膜等の分離膜（７）を用いた浄水器は、それら分離膜を透過する水量、すなわち単位時間あたりの浄化処理水量が少ないことから、消費に足りる十分な量の透過水を貯めておくために、大気開放式タンク（９）や圧力式タンク（１６）等の貯水タンクを用いた貯水方式と、水道水等の原水が絶えず給水されている状態を保つために、給水管（２）に分岐栓（２１）を直接設ける給水方式をとっていた（図２乃至図４参照）。また、逆浸透膜・ナノろ過膜・限外ろ過膜等の分離膜（７）の透過水量を増やすためには、別途ボイラー等の加熱装置を設け、原水を加熱してから、それら分離膜（７）に給水する方式をとっていた。また、逆浸透膜・ナノろ過膜・限外ろ過膜等の分離膜（７）の膜表面を流水洗浄するために、流量調節弁（８）を迂回するよう設けられた止水弁又は電磁弁（２０）を、手動で又は電気的に、２４時間程度の周期で一度だけ数秒乃至数十秒間程度開けていた。
【発明が解決しようとする課題】
【０００３】  逆浸透膜・ナノろ過膜・限外ろ過膜等の分離膜（７）を用いた浄水器を使用するためには、貯水タンク（９及び１６）を設置するに足りる十分な場所と、給水管（２）に分岐栓（２１）を設ける配管工事を必要としていた。また、逆浸透膜・ナノろ過膜・限外ろ過膜等の分離膜（７）の透過水量を増やすためには、別途ボイラー等の加熱装置を設け、原水を加熱してから、それら分離膜（７）に給水しなければならなかった。また、流量調節弁（８）を迂回するよう設けられた止水弁又は電磁弁（２０）を、手動で又は電気的に、２４時間程度の周期で一度だけ数秒乃至数十秒間開けることでは、分離膜（７）の膜表面を効果的に流水洗浄することはできなかった。
本発明は、貯水タンク（９及び１６）を設ける場所と、給水管（２）に分岐栓（２１）を設ける配管工事を不要とし、分離膜（７）の透過水量を増やし、また、分離膜（７）の膜表面をより効果的に流水洗浄するものである。
【課題を解決するための手段】
【０００４】  逆浸透膜・ナノろ過膜・限外ろ過膜等の分離膜（７）を用いた浄水器に、温度調節機能を有する湯水混合栓等の給水栓（３）に直接接続できるレバー付き切り替え栓等の分岐栓（１７）を備える。これにより、給水管（２）に分岐栓（２１）を設ける配管工事を不要とする。
【０００５】  また、それら分離膜（７）を用いた浄水器に、温度調節機能を有する湯水混合栓等の給水栓（３）に直接接続できるレバー付き切り替え栓等の分岐栓（１７）を備えることにより、別途ボイラー等の加熱装置を設けることなく、既存の給湯器を利用して、浄水器への給湯が可能となる。逆浸透膜・ナノろ過膜・限外ろ過膜等の分離膜（７）を用いた浄水器へ給湯することにより、それら分離膜（７）を透過する水量を増加させ、消費に足りる十分な量の透過水を直接供給できるものとする。これにより、貯水タンク（９及び１６）を不要とする。
【０００６】  さらに、逆浸透膜・ナノろ過膜・限外ろ過膜等の分離膜（７）を熱水による損傷から保護するために、それら分離膜（７）の前に、一定温度以上の熱水の流入を感知して遮断する機能を設ける。この機能は、バイメタル等の温度センサーによる給水遮断弁（１８）からなる。
【０００７】  さらに、逆浸透膜・ナノろ過膜・限外ろ過膜等の分離膜（７）の膜表面をより効果的に流水洗浄するために、原水の流入を感知する圧力センサー又はフローセンサー（１９）と流量調節弁（８）を迂回する電磁弁（２０）を設ける。この圧力センサー又はフローセンサー（１９）と電磁弁（２０）は、圧力センサー又はフローセンサー（１９）からの信号を受けて電磁弁（２０）へ通電及び停電の信号を数秒の短い周期で数回繰り返し送るよう組まれた電気回路又はそのようにプログラムされた電子回路（２２）に接続される。流量調節弁（８）を迂回する電磁弁（２０）を数秒の短い周期で数回開閉することにより、水撃作用を引き起こす。この水撃作用により、逆浸透膜・ナノろ過膜・限外ろ過膜等の分離膜（７）の膜表面をより効果的に流水洗浄することが可能となる。
【０００８】  本発明は、以上の構成よりなる貯水タンク（９及び１６）と分岐栓（２１）の配管工事を不要とし、分離膜（７）の透過水量を増やし、また、分離膜（７）の膜表面をより効果的に流水洗浄する浄水器である。
【発明を実施するための最良の形態】
【０００９】  以下、本発明の実施の形態を説明する。
（イ）逆浸透膜・ナノろ過膜・限外ろ過膜等の分離膜（７）を用いた浄水器に、温度調節機能を有する湯水混合栓等の給水栓（３）に直接接続できるレバー付き切り替え栓等の分岐栓（１７）を備える。それらレバー付き切り替え栓等の分岐栓（１７）は、その脱着に特殊技能や工具は一切必要とせず、アダプター等の接続部品だけで誰でも簡単に脱着ができるものである。【００１０】  （ロ）逆浸透膜・ナノろ過膜・限外ろ過膜等の分離膜（７）の前に、バイメタル等の温度センサーによる給水遮断弁（１８）を設け、熱水流入感知遮断機能とする。この機能は、温度調節機能を有する湯水混合栓等の給水栓（３）の後で、かつ、逆浸透膜・ナノろ過膜・限外ろ過膜等の分離膜（７）の前であれば、その水回路においていかなる位置に設けても熱水流入感知遮断機能を有する。【００１１】  （ハ）逆浸透膜・ナノろ過膜・限外ろ過膜等の分離膜（７）の前に原水の流入を感知する圧力センサー又はフローセンサー（１９）を設け、流量調節弁（８）を迂回するよう電磁弁（２０）を設ける。圧力センサー又はフローセンサー（１９）及び電磁弁（２０）を、圧力センサー又はフローセンサー（１９）からの信号を受けて電磁弁（２０）へ通電及び停電の信号を数秒の短い周期で数回繰り返し送るよう組まれた電気回路又はそのようにプログラムされた電子回路（２２）に接続する。流量調節弁（８）を迂回する電磁弁（２０）を数秒の短い周期で数回開閉することにより、水撃作用を引き起こし、逆浸透膜・ナノろ過膜・限外ろ過膜等の分離膜（７）の膜表面をより効果的に流水洗浄する。
本発明は以上の構成よりなる。【００１２】  本発明を使用する場合は、レバー付き切り替え栓等の分岐栓（１７）を、温度調節機能を有する湯水混合栓等の給水栓（３）に直接接続してから、給水栓（３）を開き、分岐栓（１７）を浄水器側に切り替えて浄水器に給水する。浄水器に給水すると、圧力センサー又はフローセンサー（１９）が原水の流入を感知して信号を出す。その信号を受けた電気回路又は電子回路（２２）が出す信号に従って、電磁弁（２０）が数秒の短い周期で数回開閉を繰り返して分離膜（７）を流水洗浄する。流水洗浄終了後、給水された原水は浄水器で浄化され供給される。このとき、一定温度以上の熱水が浄水器に給水されると、温度センサーによる給水遮断弁（１８）により、熱水流入感知遮断機能が働いて浄水器への給水が遮断される。
【発明の効果】
【００１３】  本発明を使用することにより、不要となった貯水タンク（９及び１６）の大きさだけ、浄水器を小型化したり、設置場所を削減したりできる。
【００１４】  また、特殊技能や工具を必要とする配管工事を伴わずに、誰でも簡単に取り付けたり、取り外したりできる。したがって、賃貸アパートやマンションといった給水管（２）に加工を施すことができない場所でも、逆浸透膜・ナノろ過膜・限外ろ過膜等の分離膜（７）を用いた浄水器を使用することが可能となる。
【００１５】  また、別途ボイラー等の加熱装置を設置することなく既存の給湯器を利用して経済的に、かつ、熱水による分離膜（７）の損傷を心配することなく安心して、消費に足りる十分な量の透過水を得ることができる。
【００１６】  また、従来の流水洗浄方式よりも効果的に分離膜（７）を流水洗浄することができ、より効果的に分離膜（７）の目詰まりを予防して、分離膜（７）をより長く使用することができる。
【図面の簡単な説明】
【００１７】
【図１】本発明の構成を示す図面
【図２】圧力式タンクを用いた従来の浄水器の構成を示す図面
【図３】大気開放式タンク及び越流管を用いた従来の浄水器の構成を示す図面
【図４】大気開放式タンク及びボールタップを用いた従来の浄水器の構成を示す図面
【符号の説明】
（１）給湯管、（２）給水管、（３）給水栓、（４）止水栓、（５）精密ろ過膜等の前処理用フィルター、（６）活性炭フィルター等の前処理用フィルター、（７）逆浸透膜・ナノろ過膜・限外ろ過膜等の分離膜、（８）流量調節弁、（９）大気開放式タンク、（１０）分離膜透過水用水栓、（１１）越流管、（１２）隔壁式止水弁、（１３）逆止弁、（１４）ボールタップ、（１５）止水弁、（１６）圧力式タンク、（１７）レバー付き切り替え栓等の分岐栓、（１８）温度センサーによる給水遮断弁、（１９）圧力センサー又はフローセンサー、（２０）電磁弁、（２１）分岐栓、（２２）圧力センサー又はフローセンサーからの信号を受けて電磁弁へ通電及び停電の信号を数秒の短い周期で数回繰り返し送るよう組まれた電気回路又はそのようにプログラムされた電子回路
【図１】
2005058983.tif 000003
【図２】
2005058983.tif 000004
【図３】
2005058983.tif 000005
【図４】
2005058983.tif 000006